(57)【要約】【課題】種々のリフト量の継手管を同一の金型で製造可能とすることにより、製造コストが安い吐水具スタンドを提供すること。また、施工現場でリフト量を調節・変更可能な吐水具スタンドを提供すること。【解決手段】先端側にシャワーヘッド１２が支持される継手管１６と、継手管１６の軸心方向に継手管１６を摺動可能に挿通するホルダ１８と、を備えた吐水具スタンド１０であって、継手管１６の下端寄り外周面には、継手管１６軸心方向において異なる位置にそれぞれ設けられる２つ以上の周溝５０が備えられ、いずれかの周溝５０に嵌着されてホルダ１８の下部端面２７に係止可能なＣリング５２が備えられている　。【選択図】　　図１
2004100406.tif 000002
【特許請求の範囲】
【請求項１】
先端側に吐水具が支持される継手管と、該継手管の軸心方向に継手管を摺動可能に挿通するホルダと、を備えた吐水具スタンドであって、
前記継手管の下端寄り外周面には、継手管軸心方向において異なる位置にそれぞれ設けられる２つ以上の係止凹部が備えられ、
前記いずれかの係止凹部に嵌着されて前記ホルダの下端に係止可能な係止片が備えられたことを特徴とする吐水具スタンド。
【請求項２】
先端側に吐水具が支持される継手管と、該継手管の軸心方向に継手管を摺動可能に挿通するホルダと、を備えた吐水具スタンドであって、
前記継手管の下端外周面には、前記ホルダの下端に係止可能な係止凸状部が設けられ、
前記係止凸状部より上部で下端寄り外周面には、前記ホルダの下端に係止可能な係止片が嵌着可能な係止凹部が１つ以上設けられ、
前記係止凸状部及び前記係止凹部は、前記継手管軸心方向において異なる位置にそれぞれ設けられたことを特徴とする吐水具スタンド。
【請求項３】
前記係止片が前記継手管に対して取り外し自在に設けられたことを特徴とする請求項１または請求項２に記載の吐水具スタンド。
【発明の詳細な説明】
【０００１】
【発明の属する技術分野】
本発明は、継手管先端に吐水具ホルダが取り付けられ、継手管がその軸心方向に摺動可能に挿通され、吐水具を昇降させることのできる吐水具スタンドに関する。
【０００２】
【従来の技術】
従来、継手管先端に吐水具ホルダが取り付けられ、継手管がその軸心方向に摺動可能に挿通されて、吐水具を昇降させることのできる吐水具スタンドが種々知られている。このような吐水具スタンドは、吐水具ホルダとともに吐水具の上下位置を変更可能に設けることにより、吐水具の利便性を向上させるものである。一方、この吐水具スタンドでは、継手管の下端の、あらかじめ設定したリフト量に対応する位置にフランジ状のストッパーが形成され、吐水具ホルダを引き上げた際に、このストッパーが、天板に固定され継手管を摺動可能に挿通するホルダ下端面に当接するように設けられており、吐水具ホルダを上方に引き上げた場合の天板からの継手管の抜け防止が図られるとともに、上方に引き上げた吐水具ホルダや吐水具が、吐水具スタンド上方のキャビネットや鏡に接触したり、引き上げた吐水具からの吐水が洗面ボウル等の外に飛散したりすることがないようにされていた（特許文献１参照。）。
【０００３】
【特許文献１】
特開平１１−３５０５５７号公報（第２、３頁、図１）
【０００４】
【発明が解決しようとする課題】
上記した吐水具スタンドでは、あらかじめ継手管に、想定したリフト量に応じた部位にストッパーを形成することとしているため、吐水具スタンドが設置される状況に応じた適切なリフト量とするためには、ストッパーの形成位置を異ならせた継手管をそれぞれ製造しておく必要があり、このために吐水具スタンドの製造コストが嵩んでいた。また、継手管にあらかじめストッパーを形成しておくため、施工現場においてリフト量を調節・変更したい場合であっても対応できないという問題も生じていた。
【０００５】
本発明は上記した従来の吐水具スタンドの問題点を解消するものであり、種々のリフト量の継手管を同一の金型で製造可能とすることにより、製造コストが安い吐水具スタンドを提供することを目的とする。また、施工現場でリフト量を調節・変更可能な吐水具スタンドを提供することも目的とする。
【０００６】
【課題を解決するための手段】
以上の課題を解決するために、本各発明の採った手段を以下に説明する。本発明の吐水具スタンドは、先端側に吐水具が支持される継手管と、該継手管の軸心方向に継手管を摺動可能に挿通するホルダと、を備えた吐水具スタンドであって、　前記継手管の下端寄り外周面には、継手管軸心方向において異なる位置にそれぞれ設けられる２つ以上の係止凹部が備えられ、前記いずれかの係止凹部に嵌着されて前記ホルダの下端面に係止可能な係止片が備えられたことを特徴とするものである（請求項１）。
【０００７】
継手管がその軸心方向に摺動されて吐水具の位置を可変可能な吐水具スタンドにおいて、異なる２箇所以上の部位で継手管を係止可能に設けることにより、吐水具スタンドの設置状況に応じて、継手管のリフト量を変更することができる。ここで、「係止凹部」と「係止片」は、「係止片」がホルダ下端面に係止可能となるように「係止凹部」に嵌着されるものであれば特に限定はされないが、例えば、「係止凹部」として、継手管外周面に複数の周溝を設け、この周溝のいずれかに、ホルダ下端面内径よりも大径に形成された「係止片」としてのＣリングを嵌着させるものを例示できる。
【０００８】
また、本発明の別の吐水具スタンドは、先端側に吐水具が支持される継手管と、該継手管の軸心方向に継手管を摺動可能に挿通するホルダと、を備えた吐水具スタンドであって、前記継手管の下端外周面には、前記ホルダの下端に係止可能な係止凸状部が設けられ、前記係止凸状部より上部で下端寄り外周面には、前記ホルダの下端に係止可能な係止片が嵌着可能な係止凹部が１つ以上設けられ、前記係止凸状部及び前記係止凹部は、前記継手管軸心方向において異なる位置にそれぞれ設けられたことを特徴とするものである（請求項２）。
【０００９】
本発明では、上記と同様に異なる２箇所以上の部位で継手管を係止可能に設けることができ、吐水具スタンドの設置状況に応じて、継手管のリフト量を変更することができる。また、最も大きなリフト量を設定する場合には、係止凹部には係止片を嵌着せず、継手管の最下端の係止凸状部によりホルダの下端が係止されこととし、これよりも小さなリフト量を設定する場合には、係止凸状部よりも上方の係止凹部に係止片を嵌着してリフト量を調節することができる。よって、係止凸状部にホルダの下端が係止される際のリフト量を初期設定のリフト量と定めることにより、初期設定のリフト量からリフト量を変更しない限り係止片を不要とすることができる。したがって、リフト量を変更する可能性が高くない場合には、当初は吐水具スタンドに係止片を付属させずに部品点数を少なくすることができる。
【００１０】
また、上記した係止片が継手管に対して取り外し自在に設けることもできる（請求項２）。このように構成することにより、いったん係止凹部に嵌着した係止片を別の係止凹部に取り付けることができるので、吐水具スタンドの施工現場でリフト量の調節を行ったり、施工後に改めてリフト量を変更することができる。
【００１１】
【発明の実施の形態】
次に、本発明の吐水具スタンドの実施の形態を図１から図８を参考にして詳細に説明する。図１に示すように、本発明の吐水具スタンド１０は、天板１の取付孔２に挿通固定され、その先端にシャワーヘッド１２を支持し、継手管１６を天板１に対して上下に昇降可能に設けられるとともに、継手管１６の軸心回りに回動可能に設けられたものである。
【００１２】
シャワーヘッド１２は、合成樹脂製の吐水具ホルダ１４先端に着脱自在に支持されており、必要に応じて、その基端部側に接続され天板１裏側に引き回されたシャワーホース（図示省略）とともに引き出し自在に支持されている。吐水具ホルダ１４は、上述したように、その先端側にシャワーヘッド１２を着脱自在に支持可能に設けられ、基端側には合成樹脂製の継手管１６が接着固定されている。吐水具ホルダ１４は、その先端側が緩やかに屈曲されており、先端に支持するシャワーヘッド１２の吐水方向が、吐水具スタンド１０手前側に設けられた洗面ボウル等（図示省略）の中央に向けられ、吐水が洗面ボウル外に飛散し難く設けられている。そして、継手管１６は、後述するホルダ１８等に挿通されて、天板１に取り付けられている。
【００１３】
継手管１６は、図３に示すように、その断面が略四角状に形成されている。また、後述するが、図１及び図４に示すようにその外周面下端寄りには、ホルダ１８の内径よりも大径のＣリング５２を嵌着することのできる５つの周溝５０が周設されている。
【００１４】
図１乃至図４に示すように、継手管１６は、合成樹脂製のホルダ１８、回動体３２、カバー４０に、その軸心方向に摺動自在に挿通されている。図２及び図４に示すように、ホルダ１８は、全体が略円筒形状に形成されている。ホルダ１８には、その長手方向の一端側に設けられ天板１に固定する際にスリップ板４を介在させてナット３が螺着される雄ねじ部２０と、この雄ねじ部２０の他端側に設けられ、その外周面に周方向に凸部２４が連設された内筒部２２と、内筒部２２の奥端側より突設されて内筒部２２外側に開口された外筒部２６と、が備えられている。雄ねじ部２０は天板１の取付孔２の内径よりも小さな外径に設けられ、一方、外筒部２６は取付孔２の内径よりも大きな外径に設けられ、取付孔２に上方より雄ねじ部２０を挿通して外筒部２６によりホルダ１８が天板１に係止される。
【００１５】
雄ねじ部２０の先端には小径部２８が設けられている。そして、この小径部２８先端には、ホルダ１８の軸心を挟んで対向する位置にそれぞれ突設され、ホルダ１８の径方向に弾性的に可撓可能な突設片２３が備えられている。この突設片２３の内周面には、雄ねじ部２０の周方向に沿って形成され、後述するＣリング５２が係合する溝２１が設けられている。また、外筒部２６の開口端部には、カバー４０が取り付けられるフランジ部３０が周設されている。そして、内筒部２２の外周面には、外筒部２６内周面と向き合うように、内筒部２２の周方向に沿って多数の凸部２４が等間隔に連設されている。また、ホルダ１８の挿通孔２５の内径は、継手管１６の最大外径よりわずかに小さく形成されて、継手管１６がその軸心方向に摺動可能に設けられている。また、図３に示すように、挿通孔２５は、その横断面は継手管１６が内設する真円形状に設けられており、挿通される継手管１６が、この挿通孔２５内で回動可能に設けられている。
【００１６】
ホルダ１８の外筒部２６と内筒部２２との間には、回動体３２が回動自在に組み付けられている。回動体３２は、全体が有底円筒形状に形成されて、その底部に、継手管１６が挿通される挿通孔３４が形成されている。挿通孔３４は平面視略四角の形状に設けられ、継手管１６の外径横断面形状に略合致し、継手管１６にその軸心回りにおいて嵌合している。よって、この挿通孔３４に挿通された継手管１６と回動体３２とは相対的に回動が規制され、継手管１６が回動されると回動体３２も共に回動されるように設けられている。
【００１７】
また、回動体３２の側部には、その径方向に弾性的に可撓可能に突設された舌片状の２つの係合片３６が設けられている。係合片３６の先端寄り内側には、ホルダ１８の凸部２４と弾発的に係合する係合突起３８が形成されている。これらの２つの係合片３６に設けられた係合突起３８間の間隔は、ホルダ１８の軸心を挟んだ凸部２４の頂点間の長さよりも短く設けられており、ホルダ１８の内筒部２２と外筒部２６との間に組み付けられた回動体３２が継手管１６の回動に伴い回動する際に、係合突起３８が凸部２４を乗り越えるようにして内筒部２２に圧着されるように設けられている。また、係合片３６を回動体３２軸心を挟んで対向する位置にそれぞれ設けることにより、継手管１６に一方向から力が加えられた状態でも、係合突起３８が凸部２４に安定的に係合するように設けられている。
【００１８】
回動体３２の上方には、さらに、継手管１６がその挿通孔４２に挿通されて、カバー４０が取り付けられている。カバー４０は全体が有底円筒形状に形成されて、その底部に、継手管１６が挿通される挿通孔４２が形成されている。挿通孔４２は平面視略四角の形状に設けられ、継手管１６の外径横断面形状に略合致し継手管１６にその軸心回りにおいて嵌合している。よって、この挿通孔４２に挿通された継手管１６とカバー４０とは相対的に回動が規制されており、継手管１６が回動されるとカバー４０も共に回動されるように設けられている。カバー４０の側部には、周方向に等間隔に、内方上向きに突設された３つの係止突起４４が形成されており、ホルダ１８の外筒部２６にカバー４０を被覆する際に、カバー４０の開口部を外筒部に圧入し、ホルダ１８のフランジ部３０が係止突起４４を乗り越え、係止突起４４によりフランジ部３０が係止されて、カバー４０がホルダ１８に取り付けられ、このカバー４０により回動体３２等が被覆されている。また、カバー４０の挿通孔４２裏側周縁には、周回状の突状部４６が形成されており、この突状部４６内側にＹパッキン４８が取り付けられて、継手管１６と挿通孔４２との間からの湯・水の浸入が防止されている。
【００１９】
このように構成された吐水具スタンド１０では、吐水具ホルダ１４を回動させて、例えば、その先端に支持されるシャワーヘッド１２からの吐水方向を変える際に、吐水具ホルダ１４に接続固定された継手管１６が吐水具ホルダ１４とともに回動される。また、継手管１６に略嵌合する回動体３２及びカバー４０は、ホルダ１８に対して、継手管１６とともに回動する。一方、ホルダ１８は天板１に対して固定されたままであり、回動はしない。この際に、上述したように、回動体３２の係合片３６が撓みながら、係合突起３８がホルダ１８側の凸部２４を順次乗り越えつつ回動体３２が回動され、凸部２４を乗り越える際に適度の節度感が付与されるとともに、シャワーヘッド１２の吐水方向を任意の方向に変更してその吐水方向を保持することができる。なお、この係合突起３８と凸部２４とが係合された状態では、湯水吐水時の反力や使用者の手が軽く触れた程度では回動体３２は回転することはなく、シャワーヘッド１２の吐水方向を安定的に保持することができる。
【００２０】
また、図５及び図６に示すように、吐水具ホルダ１４を上方に引き上げた場合には、継手管１６の周溝５０に嵌着されたＣリング５２が、ホルダ１８の下部端面２７及び突設片２３の溝２１に係合されて、吐水具ホルダ１４及び継手管１６の上方へのそれ以上の移動を規制し、継手管１６の抜け防止を行う。また、ホルダ１８の下部端面２７と溝２１の上端部とは、ホルダ１８の軸心方向において同じ位置に設けられている。
【００２１】
上記したように、図８に示すようなＣリング５２の外径は、図７に示すホルダ１８の下部端面２７の内径よりも大きく形成されており、継手管１６を上方に引き上げた際には、Ｃリング５２の上部がホルダ１８下部端面２７に確実に係止され、それ以上の継手管１６の移動を確実に規制することができる。また、Ｃリング５２を嵌着することにより、ホルダ１８下部端面２７のほぼ全周に渡ってＣリング５２に係止することができ、確実・安定して規制できる。また、同時に、突設片２３の溝２１にＣリング５２が嵌合され、より一層確実に継手管１６の移動規制を行う。
【００２２】
また、吐水具ホルダ１４及び継手管１６を引き上げる際に、Ｃリング５２がホルダ１８の下部端面２７に当接する直前には、まず、突設片２３の下端面がＣリング５２上部に当接し一定の抵抗を与える。さらに、所定以上の力で引き上げられる場合には、突設片２３がホルダ１８外方に撓みながらＣリング５２を乗り越える。よって、溝２１が形成された突設片２３が、ホルダ１８の下部端面２７とともに吐水具ホルダ１４及び継手管１６の抜け防止を図るとともに、最終的に吐水具ホルダ１４及び継手管１６が規制される直前に、吐水具ホルダ１４及び継手管１６の引き上げ操作に対して適当な抵抗感が与えられ、急激に引き上げ操作が停止されないようにして、引き上げ操作時の操作感を向上させている。
【００２３】
また、さらに吐水具ホルダ１４及び継手管１６を引き上げると、ホルダ１８下部端面２７にＣリング５２が当接されて引き上げ操作が停止されるとともに、Ｃリング５２が溝２１に嵌合されて継手管１６が係止される。よって、Ｃリング５２の嵌着位置によって適切に定められた吐水具ホルダ１４及び継手管１６の最大リフト時に、吐水具ホルダ１４及び継手管１６の高さを一時的に保持することでき、この引き上げた状態のまま吐水具ホルダ１４に支持されるシャワーヘッド１２から吐水を行うことができる。また、吐水具ホルダ１４及び継手管１６を下に引き下げたい場合には、突設片２３の弾発力に抗して所定以上の力を吐水具ホルダ１４または継手管１６に加えれば、Ｃリング５２と溝２１の嵌合状態が外れ、吐水具ホルダ１４及び継手管１６を引き下げることができる。なお、所定以上の力が加えられなければＣリング５２と溝２１の嵌合状態は外れないので、吐水具ホルダ１４及び継手管１６がその自重により下がったりするおそれはない。
【００２４】
Ｃリング５２は、周溝５０に対して取り外し自在に嵌着されており、継手管１６のそれぞれの周溝５０には、いずれにもＣリング５２を嵌着することができるので、いずれの周溝５０にＣリング５２を取り付けるかによって、同一の継手管１６において、吐水具ホルダ１４のリフト量を５段階に設定することができる。また、Ｃリング５２は周溝５０から取り外すこともできるので、一旦吐水具スタンド１０を設置した後であっても、必要に応じてリフト量を変更することもできる。また、吐水具ホルダ１４を下方に引き下げた場合には、吐水具ホルダ１４の下部端面がカバー４０上に当接して吐水具ホルダ１４の下方への移動が規制される。なお、周溝５０の数は５つに限られず２つ以上であれば他の個数でも良い。また、上記実施の形態は継手缶１６の周溝５０に嵌着されたＣリング５２がホルダ１８の下部端面２７及び突設片２３の溝２１に係合される例であるが継手管１６の周溝５０に嵌着されたＣリング５２はホルダ１８の下部端面２７とは接しないで突設片２３の溝に係合する構造としても良い。
【００２５】
次に別の実施の形態に係る継手管について図９を参考にして説明する。図９に示すように継手管１６の下端外周面には係止凸状部としての凸条５４が設けられており、凸条５４より上部には３つの周溝５０が設けられていて、凸条５４の外径はＣリング５２の外径と同じ寸法で形成されており、凸条５４の幅はＣリング５２の厚さと同じ寸法で形成されている。この例では凸条５４を前記実施の形態における係止片とすることができるから、部品点数を減らすことができる。そして、リフト量を小さく変更したいときはＣリング５２をいずれかの周溝に嵌着すれば所望のリフト量に変更することができる。なお、係止凸状部はホルダの下端に係止可能であれば良く、上記のような凸条である必要はなく突起であっても良い。
【００２６】
本発明は、上記した実施の形態に限られることなく、特許請求の範囲に記載の趣旨の範囲内で種々の変更が可能である。例えば、継手管１６外周面に、ほぼ平行ないわゆる２面幅の凹部を複数形成し、これに嵌着可能なクリップを取り付けることとしてもよい。またこの他にも、上記したように周溝５０を形成するのではなく、単に、溝、凹部や孔を形成し、これにホルダ１８下部端面２７に係止される種々の形状の係止片を嵌着することとしてもよい。係止片としてはＣリングの他にゴム製ＯリングやＣ形同心止め輪、Ｅ形止め輪などをあげることができる。
【００２７】
【発明の効果】
本発明の吐水具スタンドでは、継手管の下端寄り外周面には、継手管軸心方向において異なる位置にそれぞれ設けられる２箇所以上の係止凹部が備えられ、いずれかの係止凹部に嵌着されてホルダの下端に係止可能な係止片が備えられている（請求項１）ので、種々のリフト量の継手管を同一の金型で製造可能とし、製造コストが安い吐水具スタンドを提供することができる。また、継手管の下端外周面には、ホルダの下端に係止可能な係止凸状部が設けられ、係止凸状部より上部で下端寄り外周面には、ホルダの下端に係止可能な係止片が嵌着可能な係止凹部が１つ以上設けられ、係止凸状部及び係止凹部は、継手管軸心方向において異なる位置にそれぞれ設けられている（請求項２）ので、係止凸状部を係止片と同様に利用できるので、部品点数を減らすことができる。また、係止片を継手管に対して取り外し自在に設ける（請求項３）ことにより、施工現場でリフト量を調節することができ、施工後にリフト量を変更可能な吐水具スタンドとすることもできる。
【図面の簡単な説明】
【図１】吐水具スタンドの一部縦断面図である。
【図２】図１の吐水具スタンドの要部拡大縦断面図である。
【図３】図２のＢ−Ｂ線断面図である。
【図４】図１の吐水具スタンドの一部分解斜視図である。
【図５】図１の吐水具スタンドのホルダ及び継手管の一部拡大縦断面図である。
【図６】図１の吐水具スタンドのホルダ及び継手管の一部斜視図である。
【図７】図１の吐水具スタンドのホルダの下から見た斜視図である。
【図８】Ｃリングの正面図及び側面図である。
【図９】別の吐水具スタンドの継手管の一部破断面図である。
【符号の説明】
１；天板、２；取付孔、３；ナット、４；スリップ板、１０；吐水具スタンド、１２；シャワーヘッド、１４；吐水具ホルダ、１６；継手管、１８；ホルダ、２０；雄ねじ部、２１；溝、２２；内筒部、２３；突設片、２４；凸部、２５；挿通孔、２６；外筒部、２７；下部端面、２８；小径部、３０；フランジ部、３２；回動体、３４；挿通孔、３６；係合片、３８；係合突起、４０；カバー、４２；挿通孔、４４；係止突起、４６；突状部、４８；Ｙパッキン、５０；周溝、５２；Ｃリング、５４；凸条。
【図１】
2004100406.tif 000003
【図２】
2004100406.tif 000004
【図３】
2004100406.tif 000005
【図４】
2004100406.tif 000006
【図５】
2004100406.tif 000007
【図６】
2004100406.tif 000008
【図７】
2004100406.tif 000009
【図８】
2004100406.tif 000010
【図９】
2004100406.tif 000011